(57)【要約】【課題】結合手段によって寸法の異なるピースの結合を容易にし、かつ収納スペースを節約すること。【解決手段】３次元ジグソーパズルは、頂部パズル・ピースと、底部パズル・ピースと、寸法の異なる複数の中間パズル・ピースとを含む。全パズル・ピースを組み合わせると、ある物体が形成されるように、２個の隣接パズル・ピースの組み合わせを容易にするため、２個の隣接パズル・ピース間に結合手段が備えられている。【選択図】  図１
0003121741.tif 000002
【実用新案登録請求の範囲】
【請求項１】
頂部のパズル・ピース、底部のパズル・ピース及び複数の中間部のパズル・ピースと、隣接する２個のパズル・ピースを結合する、該パズル・ピース間に設けられた結合手段とを含み、
前記結合手段は、一方のパズル・ピースから伸びる結合ロッドと、他方のパズル・ピースに形成された結合穴とを含み、前記結合ロッドを隣接するパズル・ピースの前記結合穴の中に受け入れさせることによって、一方のパズル・ピースを他方のパズル・ピースに結合する、３次元ジグソーパズル。
【請求項２】
頂部のパズル・ピース、底部のパズル・ピース及び複数の中間部のパズル・ピースと、隣接する２個のパズル・ピースを結合する、該パズル・ピース間に設けられた結合手段とを含み、
前記結合手段は、一方のパズル・ピースに設けられた正の磁極と、他方のパズル・ピースに設けられた負の磁極とを含み、前記正の磁極と負の磁極との間の吸着力により隣接する２個のパズル・ピースを結合する、３次元ジグソーパズル。
【請求項３】
前記パズル・ピースを収容する複数の収容凹所を有する箱を含み、各中間パズル・ピースはそれ自体より小さい他のパズル・ピースを収容する複数の収容凹所を有し、前記箱の頂面には識別用の画像が表示されている、請求項１又は２に記載のジグソーパズル。
【考案の詳細な説明】
【技術分野】
【０００１】
本考案は３次元ジグソーパズルに関し、より詳しくは、３次元の物体を形成するように、相互に結合される複数のプレートから成る３次元ジグソーパズルに関する。
【背景技術】
【０００２】
従来の平面ジグソーパズルは、それぞれが複数の突起と切欠を有する複数のピースから成る。これら複数の突起と切欠との相互の対応により、２個の隣接するピースが結合される。それにより、少しずつ完成図が形成される。ジグソーパズルのむずかしさは、ピースの数による。この種のジグソーパズルは、プレーヤーを楽しませる。ジグソーパズルで遊ぶ楽しみを増加させるために、プレーヤーの忍耐と技能に挑戦すべく３次元ジグソーパズルが市場に導入されている。
【０００３】
この３次元ジグソーパズルは、複数のピースを含み、また、袋を含んでもよい。袋を含む場合、プレーヤーはその袋の球形の輪郭に依存することができ、その外周に沿って各ピースを２個の隣接するピース毎に結合するように配置する。袋が備えられていない場合、プレーヤーは自身の技能に頼って次第に３次元のパターンを形成しなければならない。
【０００４】
前述のジグソーパズルが如何なる種類のものであっても、ピースは平面又は曲面に相互に結合される。すなわち、スペースの使用が制限され、固定されているため、プレーヤーの忍耐と技能の努力目標が小さい。
【考案の開示】
【考案が解決しようとする課題】
【０００５】
この欠点を解消するため、本考案は、上記の問題を緩和する層状の３次元ジグソーパズルを提供する。
【課題を解決するための手段】
【０００６】
本考案の主な目的は、ピースを相互に結合すると３次元の物体が形成されるような、様々な寸法の複数のピースを含む３次元ジグソーパズルを提供することにある。
【０００７】
本考案の他の目的は、２個の隣接するピースを位置決めする結合手段を３次元ジグソーパズルに備えることにある。
【０００８】
本考案のさらに他の目的は、３次元ジグソーパズルを使用しないときにコンパクトに収納できるよう、パズル・ピースを収容する複数の収容凹所を含むように構成された箱を備えることにある。
【考案を実施するための最良の形態】
【０００９】
本考案のその他の目的、利点、新規な特徴は、添付の図面を参照する下記の説明からより明らかになろう。
【実施例】
【００１０】
図１〜３を参照するに、本考案による３次元ジグソーパズルは、複数のパズル・ピースを含む。本実施例では、符号１〜２０がそれぞれ対応するパズル・ピースに付され、複数のパズル・ピースは、頂部のパズル・ピース１，底部のパズル・ピース２０、および中間部のパズル・ピース２〜１９に分かれている。結合手段は、２個の隣接するパズル・ピースの組立を容易にするため、２個の隣接するパズル・ピースの間に設けられている。本実施例では、パズル・ピース２は、その底面から伸びる結合ロッド２２と頂面に形成された結合穴２１とを備える。パズル・ピース３は、その底面から伸びる結合ロッド３２と頂面に形成された結合穴３１とを備える。結合ロッド２２を結合穴３１の中に挿入すると、パズル・ピース２、３が結合される。パズル・ピース１の底面から伸びる結合ロッド２２は、パズル・ピース１、２を結合するためにパズル・ピース２の結合穴２１に挿入することができる。結合手段の別の実施例は、図４に示すように、パズル・ピース２に正の磁極を備え、パズル・ピース３に負の磁極を備えるため、正の磁極と負の磁極との吸着力が、２個の隣接するパズル・ピース２、３間の結合を容易にする。
【００１１】
図５を参照するに、収納と整理を容易にするため、箱３０の中には様々な寸法のパズル・ピース１〜２０を収容する複数の収容凹所３０１を備える。すなわち、収容凹所３０１は、パズル・ピース１〜２０を収容するように、それぞれ異なる寸法を有する。
【００１２】
図６を参照するに、各パズル・ピース１〜２０は、図５に示すように、箱３０に受け入れられるとき、箱３０内の利用可能なスペースがすべて使用できるように、半分に分割されてもよい。
【００１３】
図７を参照するに、２個のパズル・ピース５、７がパズル・ピース１５に受け入れられるように、パズル・ピース１５は、例えば、複数の凹所１５５、１５７を備える。１個のパズル・ピースが複数の凹所を含む目的は、箱３０の中のスペースを節約することと、複数のパズル・ピース１〜２０を整頓することにある。
【００１４】
図８を参照するに、ジグソーパズルの顧客またはプレーヤーが、箱３０の中に何が入っているか、箱３０を開ける手間をかけずに箱の中身がわかるように、箱３０の上に画像を印刷して表示してもよい。
【産業上の利用可能性】
【００１５】
本考案の多数の特徴および利点を上に説明したが、この開示は例として挙げたまでで、細部の変更、特に形状、寸法、配置の変更は、請求項における用語の広い一般的な意味で示される最大限まで可能である。
【図面の簡単な説明】
【００１６】
【図１】本考案の３次元ジグソーパズルを示す分解平面図。
【図２】図１における３次元ジグソーパズルの組立状態を示す平面図。
【図３】２個の隣接ピース間に備えられた結合手段を示す斜視図。
【図４】２個の隣接ピース間の代替的な結合手段を示す斜視図。
【図５】箱が３次元ジグソーパズルに備えられていることを示す平面図。
【図６】スペースを節約するため１個のパズル・ピースを２等分してもよいことを示す斜視図。
【図７】１個のパズル・ピースは異なる寸法の複数のパズル・ピースを収容する複数の凹所を備えてもよいことを示す斜視図。
【図８】箱の中身がわかるように画像が箱に印刷されていることを示す概略平面図。
【符号の説明】
【００１７】
１−２０      パズルピース
２１、３１    結合穴
２２、３２    結合ロッド
３０          箱
３０１        収容穴
【図１】
0003121741.tif 000003
【図２】
0003121741.tif 000004
【図３】
0003121741.tif 000005
【図４】
0003121741.tif 000006
【図５】
0003121741.tif 000007
【図６】
0003121741.tif 000008
【図７】
0003121741.tif 000009
【図８】
0003121741.tif 000010